(57)【要約】【課題】折りたたんだ状態から立体形状に展開した紙を洋式便器にセットして使用する、便座設置部と貯水面直上が凧型形状の便座シートで、特に便座着座面から便器内側面が連続した一体型の便座シートを提供する。【解決手段】便座シートで、折りたたんだ状態から立体形状に展開した紙を洋式便器にセットして使用する、便座設置部と貯水面直上に凧型開口部を有することを特徴とする。また便座着座面から便器内側面が連続した一体型を特徴とする。更に材質は可とう性や伸縮性を持たさずとも、皺や破れを伴うことなく展開でき、立体形状に展開するにもかかわらず平らに折りたたまれることを特徴とする。【選択図】図１
2020028690.tif 000002
【特許請求の範囲】
【請求項１】
折りたたんだ状態から立体形状に展開した紙を洋式便器にセットして使用する、便座設置部と貯水面直上に凧型形状の開口部を有する便座シート。
【請求項２】
便座面を覆うことにあっては左右臀部の着座部に重なり部を設け、便座着座面から便器内側面が連続した一体型の構造を特徴とする、請求項１記載の便座シート。
【請求項３】
材質は可とう性や伸縮性を持たさずとも、皺や破れを伴うことなく展開でき、立体形状に展開するにもかかわらず平らに折りたたまれることを特徴とする、請求項１または２記載の便座シート。
【発明の詳細な説明】
【技術分野】
【０００１】  本発明は、折りたたんだ状態から立体形状に展開した紙を洋式便器にセットして使用する便座設置部と貯水面直上が凧型形状の開口部を有する便座シートに関するものであり、特に便座着座面から便器内側面が連続した一体型の便座シートに関するものである。
【背景技術】
【０００２】  従来、公共トイレの便器は清潔で衛生的であることが要求されるが、それを保つための対策がされているものは稀であり、不特定多数の人が繁用するので汚染しやすく、細菌に感染する恐れと不安がある。【０００３】  特に下痢時は便が便器内で広範に飛散し、便器リム部裏周囲面や便座裏面にまで達し、清掃は煩わしく手間がかかる。【０００４】  加えて、体調を崩しやすい小児の親や重篤な感染症患者の便を清掃する医療従事者は、自らも感染防止のために細心の注意を払いつつ清掃作業を複数回行わなければならない精神的負担があった。【０００５】  感染防止や便の汚染防止には、トイレットペーパーや従来の便座シートを使用していた。【０００６】  また、中央部に複数本の切断線が形成されている便座シートも提案されていた。（例えば特許文献１参照）
【先行技術文献】
【０００７】
【特許文献１】特開平１０−１０８８０６号公報
【発明の概要】
【発明が解決しようとする課題】
【０００８】  これは次のような欠点があった。
感染防止のために清掃作業を複数回行わなければならない精神的負担があった。トイレットペーパーの多用は不経済であり、ずれやすかった。また従来の便座シートも便座着座面のセットが維持できにくく、ずれやすかった。
中央部に複数本の切断線が形成されている便座シートは、切断された隙間から便の付着や破れる恐れがあった。
本発明は、以上のような欠点をなくすために、なされたものである。
【課題を解決するための手段】
【０００９】  そして、本発明は、折りたたまれた状態から立体形状に展開した紙を洋式便器の便座に乗せてセットして使用する。【００１０】  本発明による便座設置部の凧型形状の開口部の大きさは、便座の開口部とほぼ等しい大きさを有し、また貯水面の直上の凧型形状の開口部は、便器排水口の大きさにほぼ等しい大きさを有する。【００１１】  本発明を展開すると、便座前半面部をカバーする紙片および便座後半面部カバー紙片の重ね部分が設けられており、便座の左右の隙間部分を覆うことができ、本発明使用者は着座時に便座への直接の接触を防止できる。【００１２】  本発明の立体形状は、便座の着座面から便器の貯水面直上まで一体化した構成で覆うため、排泄物が便座裏面やリムを含む便器内面に直接付着するのを防ぐ。【００１３】  その材質は可とう性や伸縮性を持たさずとも、皺や破れを伴うことなく展開でき、立体形状になるにもかかわらず平らに折りたためることを特徴とする。そのため、輸送も保管も便利である。
【発明の効果】
【００１４】  本発明使用時は、展開が容易で、且つ洋式便器の便座に乗せてセットする簡単な操作だけで、便器を清潔で衛生的に維持できる。【００１５】  本発明を展開すると、便座設置部が凧型形状のため、便座の楕円形の大きさに関わらずずれにくく、便座を隙間なくカバーできる。【００１６】  便座シートは紙なので、使用後は流すだけでよいので、感染防止や精神的負担の軽減になる。【００１７】  便座着座面と便器内側部が連続した一体型のため、隙間がなく便座裏面やリム部裏周囲面、便器ボウル面の便の飛散が防止でき、汚染防止の優れた効果が発揮できる。【００１８】  便座シートは立体形状で展開後は大きくなるが、使用前は平らに折りたたまれているのでコンパクトになり場所を取らず、輸送や保管が便利である。
【図面の簡単な説明】
【００１９】
【図１】本発明を立体形状に展開したときの立体図である。
【図２】本発明を洋式便器の便座にセットした時の鉛直面透視図である。
【図３】図２にセットした本発明を右側から見た側面透視図である。
【図４】本発明の部分として、太い実線に沿って切り出される紙Ａを示す平面図Ａである。
【図５】本発明の部分として、太い実線に沿って切り出される紙Ｂを示す平面図Ｂである。
【図６】本発明を立体形状に展開する以前を示す折りたたみ左側面図である。
【図７】本発明を立体形状に展開する以前を示す折りたたみ右側面図である。
【発明を実施するための形態】
【００２０】  本発明は、図６および図７に示す折りたたまれた状態から、図１に示す立体形状に展開した紙を洋式便器に図２および図３に示す位置にセットして使用する。
【００２１】  本発明は、折りたたまれた状態から立体形に展開することで、図２の鉛直面透視図に示す凧型形状の開口部Ｘ１が便座面に開口し、便器ボウル下部の貯水面の直上には凧型形状の開口部Ｘ２が開口し、図１に示す先すぼみの立体形状が出来上がる。
【００２２】  本発明の展開方法は図１の左カバー紙片の重ね部Ｌと右カバー紙片の重ね部Ｒをそれぞれ軽くつまみ左右に広げるだけで、図２に示す凧型形状の開口部Ｘ１が得られ、これに従って貯水面への凧型形状の開口部Ｘ２も得られる。
【００２３】  本発明は、洋式便器内の形状を考慮した立体構造を実現するために図４に示す紙Ａと図５に示す紙Ｂは同じ平面図形ではなく、それぞれが異なった形になっている。
【００２４】  洋式便器の内側面について図３側面透視図の便器リム部から貯水面に至るまでのボウルの形状をみると、用便者が便座に着座したときを基にして背面側の便器内壁は便の落下を考慮し垂直であり、腹部側の便器内壁は便器の上部から下部の貯水面に至るまで、傾斜している。
【００２５】  本発明の図２に示す便座側の開口部Ｘ１と貯水面上の開口部Ｘ２は凧型となっているが、仮にこれらに相当する部分を菱形とした場合、展開しても既述の便器の内側面に沿った形状とならない。また長さを切り詰めて便器内側面の傾斜面に下端を開口するか、その中途を曲げなければ貯水面に下端が至らない。すると用便者の肛門と貯水面の垂直方向に紙の面が介在するため、排便時に落下した便によって紙が破れやすくなり便器の汚染防止の役割を成さない恐れがある。
【００２６】  上記の理由により本発明は開口部を凧型にすることによって、図２および図３に示す位置で設置できることから、用便者の肛門と貯水面の垂直方向に紙の面が介在せず、既述の排便時の便による紙の破れを防ぐことが出来る。
【００２７】  最近の洋式便器は、ビデおよび肛門洗浄用のノズルを備えているものが多く、これに対応するため本発明は図５に示す紙Ｂにノズル通し用切り抜きｂ１７を設けることが可能で用便者は本発明の使用前にこの部分を切り取って除去し使用することが出来る。
【００２８】  本発明使用後は、図１および図２に示す便座左前半部カバー紙片ａ３と便座右前半部カバー紙片ａ４、また便座左後半部カバー紙片ｂ３と便座右後半部カバー紙片ｂ４のそれぞれを便器ボウルに向けて折り曲げてそのまま水洗し流せばよい。
【００２９】  本発明は図４に示す紙Ａと図５に示す紙Ｂを連結した折りたたみ構造になっており、紙Ａと紙Ｂを連結する手段として、紙Ａに左の糊代ａ１および右の糊代ａ２を設け、紙Ｂに左の糊代ｂ１および右の糊代ｂ２を設けている。太い実線に沿って切り出された紙Ａと紙Ｂを向かい合わせ、対応する糊代ａ１とｂ１を重ね合わせて貼り付けし、糊代ａ２とｂ２を重ね合わせて貼り付けることで、紙Ａと紙Ｂは左右の二箇所で接合される。
【００３０】  上記により接合された本発明を図４に示す紙Ａの縦中心の鎖線と図５に示す紙Ｂの縦中心の鎖線に沿って谷折りすることで、図６および図７に示す折りたたみの形態になり、このまま保管出来る。
【００３１】  本発明は折りたたみの形態を実現するために、図４に示す紙Ａに示される角度ａ９と角度ａ１０は同じ角度であり、図５に示す紙Ｂで示される角度ｂ９と角度ｂ１０は同じ角度である。
【００３２】  上記と同様に図４に示す紙Ａに示される角度ａ１１と角度ａ１２は同じ角度であり、図５に示す紙Ｂに示される角度ｂ１１と角度ｂ１２は同じ角度である。
【００３３】  図４に示す紙Ａの糊代の長さａ１３と糊代ａ１４の長さ、図５に示す紙Ｂの糊代ｂ１３と糊代ｂ１４の長さは全て同じである。
【００３４】  用便者の臀部が便座に直接接触するのを防ぐため、本発明は便座を隙間なく覆う部分を備えている。図４に示す紙Ａは便座左前半部カバー紙片ａ３と便座右前半部カバー紙片ａ４、および図５に示す紙Ｂは便座左後半部カバー紙片ｂ３と便座右後半部カバー紙片ｂ４を有し、便座左右にあたる部分でも図１の様に紙片が重なることで、便座の左右も欠けることなく覆うことが出来る。
【００３５】  図４に示す紙Ａ、図５に示す紙Ｂの各々のカバー紙片の幅は、便座を覆うために十分な幅を有するものとする。
【産業上の利用可能性】
【００３６】  本発明は紙であるため、安価で且つ簡単に製造できるので、公共トイレや家庭のトイレ、更に病院・学校・ホテル・事業所・企業等の各々のトイレに設置し使用することで、産業上の利用可能性と需要は極めて大きい。
【図１】
2020028690.tif 000003
【図２】
2020028690.tif 000004
【図３】
2020028690.tif 000005
【図４】
2020028690.tif 000006
【図５】
2020028690.tif 000007
【図６】
2020028690.tif 000008
【図７】
2020028690.tif 000009
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
折りたたんだ状態から立体形状に展開した紙を洋式便器にセットして使用する。便座設置部と貯水面直上に凧型形状の開口部を有する便座シート。
【請求項２】
便座着座面から便器内側面が連続した一体型の構造とし、便座面を覆うことにあっては図１の立体形に展開時、左右臀部の着座部に図４紙Ａの便座右側前半部カバー紙片ａ４と図５紙Ｂの便座右側後半部カバー紙片ｂ４が重なり、また図４紙Ａの便座左側前半部カバー紙片ａ３と図５紙Ｂの便座左側後半部カバー紙片ｂ３が重なることで構成される部分を設けることにより、便座着座面が欠ける部分なく覆うことを特徴とした、請求項１記載の便座シート。